(57)【特許請求の範囲】
【請求項１】
使用者の骨盤周辺を覆うように配置される伸縮性を有する左右の側面部材と、
前記使用者の仙骨周辺にヒップ形状に沿うように装着されるクッション性を有し、前記側面部材より伸縮性の低減された仙骨部材と、
一端部側が左右の前記側面部材とそれぞれ連結されており、他端部側が一方の端部に他方の端部を重ねられて、使用者の下腹部面が圧迫されるように装着される伸縮性の低減された下腹部材と
を有する本体部材と、
前記仙骨部材から左右方向に伸びて、使用者の骨盤周りが弾性的に圧迫されるように前記下腹部材の表面側に着脱自在に配置される固定端部を有する骨盤矯正部材と
を有し、
前記本体部材は、前記仙骨部材を中心領域になるよう前記下腹部材の端部の重なりを開いて展開すると、前記仙骨部材と左右の前記側面部材と左右の前記下腹部材とを有する帯状体として形成され、前記帯状体の短手方向は、本体部材の上下の幅方向と一致する方向となっており、前記帯状体の長手方向の上下は、それぞれ上側端部と下側端部となっており、前記仙骨部材の配置されている前記上側端部の幅は、前記下側端部の幅よりも相対的に長くなるように形成され、前記側面部材の配置されている前記下側端部の幅は、前記上側端部の幅よりも相対的に長くなるように形成されており、前記仙骨部材と前記側面部材の配置されている前記下側端部の形状が前記前記仙骨部材と前記側面部材の配置されている前記上側端部の形状より相対的に丸みを帯びた形状とされており、前記側面部材と前記下腹部材の配置されている前記下側端部は、使用者の足の付け根部分を回避される形状とされていることを特徴とする
リフォーム用ファンデーション。
【請求項２】
前記下腹部材は、上側に配置される上側下腹部材と、下側に配置されており前記上側下腹部材の上下方向の幅より幅広に形成される下側下腹部材との上下２段に分割されており、前記下側下腹部材の表面側には、前記骨盤矯正部材の固定端部が着脱自在に配置されるための取り付け部を有していることを特徴とする請求項１に記載のリフォーム用ファンデーション。
【請求項３】
前記側面部材は、前記仙骨部材と前記下腹部材との間で袋状部とされ、前記袋状部の前記下腹部材側には、前記骨盤矯正部材の固定端部を露出させるための開口部が形成されており、前記骨盤矯正部材は、前記袋状部の内側で前記仙骨部材から前記下腹部材に向かって進退可能となるようにされていることを特徴とする請求項１または請求項２のいずれかに記載のリフォーム用ファンデーション。
【発明の詳細な説明】
【技術分野】
【０００１】
本発明は、リフォーム用ファンデーションに関する。
【背景技術】
【０００２】
妊娠から出産までの間に、女性の腹部には、胎児の成長に伴って、胎児を保護するため、妊娠脂肪といわれるものがつきやすい。また、出産の直後は、子供の頭の大きさに匹敵する大きさとなる子宮が、短期間の間に鶏卵程度の大きさに収縮する。このため、出産直後の（産褥期）の間に腹部を自由にすると、妊娠脂肪の為に、いわゆる妊娠肥満を引き起こす。この妊娠脂肪は、出産後６ヶ月以内であれば流動性があり、このため出産直後から腹部を引き締め、妊娠脂肪を散して、子宮の収縮を助け、産後の体形の変化に対応し、体形を整えるものとして、ガードルだけでなく、産褥ニッパー及びウエストニッパー等が用いられている（例えば、特許文献１乃至４）。
【０００３】
また、出産後、骨盤の位置がずれたり、緩んだりすることで、腰痛や体形の変化、体形の変化に伴う尿漏れを防止、修正するために、骨盤矯正ベルトが用いられている。
この骨盤矯正ベルトは、その装着位置が重要であり、脚の付け根近くに巻くと、歩行が困難になり、巻く位置が上過ぎると腹部への影響で強く締め付けることができないだけでなく、骨盤や骨盤底筋の歪みの矯正ができないため、経験上、骨盤のある程度細い領域を狙い、巻かれることが多い（例えば、特許文献５）。
【０００４】
【特許文献１】実用新案登録第２６０５８５４号公報（図１等）
【特許文献２】特開２００５−４２２２６号公報（図８等）
【特許文献３】特開２００６−９７１５０号公報（図１等）
【特許文献４】実用新案登録第３０３７７２号公報（図２等）
【特許文献５】特開２００７−１９５６８７号公報（図４等）
【発明の開示】
【発明が解決しようとする課題】
【０００５】
しかし、このような産褥ニッパーやウエストニッパー、骨盤矯正ベルトなどの矯正具は正しい位置に装着することがその効果を発揮するためには必要である。しかしながら、使用者は、従来の産褥ニッパーやウエストニッパー、骨盤矯正ベルトなどは、付け位置が不明確であり、使用者が装着の際の位置が、上過ぎたり、逆に下過ぎたりして、付け位置がずれるために、これらの矯正具の機能が十分に発揮されないという問題があった。
【０００６】
そこで、本発明は上記課題を解消し、容易に付け位置を決めることができ、位置ずれが起こることなく、確実に締め付けて矯正具の機能を発揮することができるリフォーム用ファンデーションを提供することを目的としている。
【課題を解決するための手段】
【０００７】
本発明は、使用者の骨盤周辺を覆うように配置される伸縮性を有する左右の側面部材と、前記使用者の仙骨周辺にヒップ形状に沿うように装着されるクッション性を有し、前記側面部材より伸縮性の低減された仙骨部材と、一端部側が左右の前記側面部材とそれぞれ連結されており、他端部側が一方の端部に他方の端部を重ねられて、使用者の下腹部面が圧迫されるように装着される伸縮性の低減された下腹部材とを有する本体部材と、前記仙骨部材から左右方向に伸びて、使用者の骨盤周りが弾性的に圧迫されるように前記下腹部材の表面側に着脱自在に配置される固定端部を有する骨盤矯正部材とを有し、前記本体部材は、前記仙骨部材を中心領域になるよう前記下腹部材の端部の重なりを開いて展開すると、前記仙骨部材と左右の前記側面部材と左右の前記下腹部材とを有する帯状体として形成され、前記帯状体の短手方向は、本体部材の上下の幅方向と一致する方向となっており、前記帯状体の長手方向の上下は、それぞれ上側端部と下側端部となっており、前記仙骨部材の配置されている前記上側端部の幅は、前記下側端部の幅よりも相対的に長くなるように形成され、前記側面部材の配置されている前記下側端部の幅は、前記上側端部の幅よりも相対的に長くなるように形成されており、前記仙骨部材と前記側面部材の配置されている前記下側端部の形状が前記前記仙骨部材と前記側面部材の配置されている前記上側端部の形状より相対的に丸みを帯びた形状とされており、前記側面部材と前記下腹部材の配置されている前記下側端部は、使用者の足の付け根部分を回避される形状とされていることを特徴とする。
【０００８】
第１の発明の構成によれば、リフォーム用ファンデーションは、仙骨部材と、左右の側面部材と、下腹部材を有する本体部材と骨盤矯正部材を有している。そして、仙骨部材は、クッション性を有し、伸縮性が低減されており、使用者の仙骨周辺にヒップ形状に沿うように装着される。そして、側面部材は、骨盤周辺を覆うように伸縮性を有し、仙骨部材から左右方向に伸びている。また、下腹部材は、伸縮性が低減されており、側面部材を介して仙骨部材と連設されており、この下腹部材は、一方の端部に他方の端部を重ねられると、使用者の下腹部面を圧迫されるように装着されるようになっている。
【０００９】
このため、使用者が装着する際には、ヒップの丸み形状に沿うようにヒップの中央領域の仙骨周辺に装着される仙骨部材によって、この仙骨部材を目安に装着の位置決めを容易に行うことができるようになっている。つまり、仙骨部材は、ヒップの丸み形状に沿うようにヒップの中央領域の仙骨周辺に装着でき、リフォーム用ファンデーションの本体部材を定位置に装着するためのガイドとして機能するようになっている。そして、仙骨部材により容易に位置決めができるので、下腹部材は、下腹部を効率よく圧迫することができる。
【００１０】
また、骨盤矯正部材は、下腹部材の表面側に着脱自在に配置される固定端部を有しており、仙骨部材から左右方向に伸びて、使用者の骨盤周りが弾性的に圧迫できるようになっている。
つまり、骨盤矯正部材は、仙骨部材から左右に伸びるようになっており、本体部材の下腹部材の表面側に着脱自在に配置される固定端部を有しているので、本体部材が定位置に装着され、骨盤矯正部材も定位置に装着することが容易となる。このため、骨盤矯正部による骨盤周りの圧迫をより正確に行うことができるようになっている。
したがって、使用者が適正な位置でリフォーム用ファンデーションを装着することができるようになっているので、使用者は、装着位置等に誤ることが無く、定位置に装着することができ、下腹部および骨盤等の位置を確実に効率よく矯正することができるようになっている。
【００１１】
しかも、使用者が装着する際に、使用者は、クッション性のある伸縮の低減された仙骨部材を使用者の仙骨周辺に当て、この仙骨部材を中心として、伸縮性のある左右の側面部材を引っ張りつつ骨盤周辺を覆い、使用者の前面に装着される伸縮性の低減された下腹部材の一方の端部に他方の端部を重ねるようにして装着する。このように装着された本体部材の下腹部材は、伸縮性のある側面部材により仙骨部材方向に引っ張られ、使用者の下腹部面を圧迫することができる。
また、仙骨部材は、伸縮性の低減されたクッション性を有しているので、使用者が装着した際には、ヒップの丸みを潰してしまうことがなく、装着感を高めることができる。
つまり、仙骨部材は、伸縮性が低減されているので、側面部材を引っ張りつつ本体部材を装着しても、仙骨部材の伸縮によりヒップを潰してしまうことが無いが、クッション性を有しているので、程よく仙骨周辺にフィットさせることができる。
従がって、下腹部や骨盤周りは矯正されつつ、外見上、違和感が無く装着することができるようになっている。
さらに、リフォーム用ファンデーションの本体部材は、帯状体とされており、この帯状体を展開した場合の短手方向は、本体部材の上下の幅方向と一致する方向とされ、帯状体の長手方向は、上側端部と下側端部とされている。また、仙骨部材と側面部材の配置されている上側端部の形状と下側端部の形状を比較すると、下側端部の形状が相対的に丸みを帯びた形状とされている。
つまり、仙骨部材の上下幅方向の大きさが、側面部材の下腹部材と連結されている側の上下幅方向の大きさより、相対的に大きくされている。このため、使用者が装着した際に、使用者のヒップ形状を仙骨部材とこの仙骨部材と連接している側面部材とでヒップ形状の丸みをつぶさずに、すっぽりと覆うことができるようになっている。
また、側面部材と下腹部材の配置されている下側端部は、使用者の足の付け根部分を回避される形状とされている。
このため、装着した際に使用者の側面側を通り前面側の下腹部付近に至る下端部側は、使用者の足の付け根部分を覆うことがないので、使用者が装着した際に、使用者の足の動きを妨げることない。
従って、使用者が装着して動いても、リフォーム用ファンデーションがずり上がってきてしまうことがなく、最初の装着位置を保つことができるので、最初に位置決めした際の骨盤の締め付け感を維持することができ、効果的に下腹部や骨盤を矯正することが可能となる。
【００１２】
好ましくは、前記下腹部材は、上側に配置される上側下腹部材と、下側に配置されており前記上側下腹部材の上下方向の幅より幅広に形成される下側下腹部材との上下２段に分割されており、前記下側下腹部材の表面側には、前記骨盤矯正部材の固定端部が着脱自在に配置されるための取り付け部を有していることを特徴とする。
【００１３】
上記構成によれば、下腹部材は、上側に配置されている上側下腹部材と下側に配置されている下側下腹部材との上下２段に分割されているので、使用者は装着の際に、下腹部の圧迫の調整を容易に行うことができる。つまり、上側下腹部材か上側下腹部材のどちらか一方で装着し、次にもう一方を装着することができるので、締め付け度合いを調整しつつ、容易に装着することができるようになっている。
また、下側下腹部材が、上側下腹部材の上下方向の幅より幅広に形成されているので、下腹部の下側を上側より強い力で圧迫することができる。
そして、この下側下腹部材の一方の端部に他方の端部を重ねられている表面側に露出されている部分は、骨盤矯正部材の固定端部が着脱自在に配置されるための取り付け部となっている。このため、使用者は、下腹部を矯正した後にこの骨盤矯正部材により容易に骨盤周りを矯正することが可能となる。従がって、本体部材で、下腹部及び骨盤周辺全体を締め付けた後に、骨盤周りの矯正を行うことができるので、より確実に矯正することができるようになっている。
【００１４】
好ましくは、前記側面部材は、前記仙骨部材と前記下腹部材との間で袋状部とされ、前記袋状部の前記下腹部材側には、前記骨盤矯正部材の固定端部を露出させるための開口部が形成されており、前記骨盤矯正部材は、前記袋状部の内側で前記仙骨部材から前記下腹部材に向かって進退可能となるようにされていることを特徴とする。
【００１５】
上記構成によれば、側面部材は、仙骨部材と下腹部材との間で袋状部とされており、この袋状部の下腹部材側には、骨盤矯正部材の固定端部を露出させるための開口部が、形成されている。また、骨盤矯正部材は、仙骨部材と下腹部材との間で袋状部とされている側面部材の袋状部の内側で進退可能となっている。
骨盤矯正部材が、本体部材の袋状部で進退可能となっており、下腹部材側の開口部から固定端部が露出されているので、本体部材が使用者に装着されて下腹部を圧迫した後に、この骨盤矯正部材で、更に、骨盤周辺を狙って締め付けをすることが容易にできるようになっている。
【発明の効果】
【００１８】
以上説明したように、本発明によれば、容易に付け位置を決めることができ、位置ずれが起こることなく、確実に締め付けて矯正具の機能を発揮することができるリフォーム用ファンデーションを提供できる。
【発明を実施するための最良の形態】
【００１９】
本発明の好適な実施形態を説明する前に、産後、骨盤を矯正するためには、骨盤のある程度細い帯域を狙って巻くようにすることが必要である点を、図１及び図２を参照しつつ説明し、その後、本実施形態のリフォーム用ファンデーションについて説明する。
図１は人体、特に女性の骨盤周辺の正面図であり、皮膚や筋肉などの組織を透視した図である。図２は、図１のＡ−Ａ線の位置で人体を切断した場合の概略断面図である。
【００２０】
図１に示すように、骨盤１は、仙骨２を中心に左右に配置された一対の寛骨３，３からなっており、各寛骨３は、動きの少ない腸骨４、軟骨である寛骨臼５、軟骨である恥骨６、及び挫骨７を有しており、恥骨６の脇から寛骨臼５にかけて形成された窪みに、大腿骨の付け根の骨８が入り込むようになっている。
そして、妊娠５ヶ月以降から産後数ヶ月までと、産後数ヶ月以降とでは、一対の恥骨６，６の互いの間隔Ｌが異なっており、この恥骨６，６の間隔Ｌが大きい程、つまり、骨盤が緩んでいる程、腰痛や体形変化などの程度が大きいといわれている。
【００２１】
このように、恥骨間が広がる理由は、例えば妊婦の場合、子宮内の胎児が子宮口を通るため、子宮口の周りの筋肉を緩めて出産の準備をするためであると考えられる。
また、近年、共働きや核家族化などの社会現象に伴って、産後の女性が、立って動くことが多い。そのため、重力が加わった臓器等の重みで恥骨間の間隔Ｌが戻り難いケースが増えている。そして、骨盤の緩みが回復するのに産後５ヶ月程度かかる場合もあり、過去に比較すると骨盤の緩みが回復する期間が長期化する傾向にある。また、骨盤が緩んだ状態から完全に回復しないケースも増えている。
【００２２】
そのため、骨盤の緩みを解消して回復を早めたい場合には、骨盤を矯正する必要がある。そして、骨盤を矯正したい場合は、一対の恥骨６，６の互いの間隔Ｌを正常な間隔に戻す巻き方が必要となる。
しかし、上述したように、恥骨６の脇から寛骨臼５にかけて形成された窪みには、脚の付け根の骨８が入り込むようになっている。このため、この帯域に骨盤を矯正するための帯状のものを巻いてしまうと、脚の付け根を締め付けるため、歩行し難くなるだけでなく、歩行に伴ってずれ易くなる。そして、腸骨４は仙骨２にあたる位置であり、恥骨６とは離間しているため、この部分に骨盤を矯正するために帯状のものを巻いても骨盤の状態を早期に回復するとの効果が殆ど見られない。
したがって、骨盤を矯正する帯状のものは、寛骨臼５より上側であって腸骨４より下側の間（図１の一点鎖線で示す帯域Ｍ）に位置するように巻くことが最も効果的である。
【００２３】
また、一方、産後６ヶ月以内は、妊娠脂肪の流動性があるので、この期間に腹部のリフォーム（体形成形）を行うことが好ましい。このため、腹部、特に下腹部を中心に矯正できるように、下腹部を圧迫することが必要となる。
また、図１及び図２で見られる仙骨２は、身体の中心部に位置しており、脊柱（背骨）と関節を介して繋がっており、脊柱の中には、脊髄が存在している。そして、この仙骨２を保温することは、腰痛の改善や骨盤の矯正を行う上で、仙骨２と寛骨３の間の関節の動きを良くするため好ましい。
従がって、骨盤全体や下腹部の矯正をしつつ、骨盤矯正に一番効果の良い、寛骨臼５より上側であって腸骨４より下側の間（図１の一点鎖線で示す帯域Ｍ）を保持できるようになっているリフォーム用ファンデーションが好ましく、本発明のリフォーム用ファンデーションは、好ましくはこのように下腹部の体形成形をすると共に骨盤を矯正するために装着することができるようになっている。
以下、本発明の好適な実施の形態を添付図を参照して詳細に説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２４】
図３ないし図５は、本発明の実施形態に係るリフォーム用ファンデーション１０を使用者Ｌが着用した状態を示している。
図３はリフォーム用ファンデーション１０を着用した状態で人体の正面側から見た場合の概略図、図４はリフォーム用ファンデーション１０を着用した状態で背面側から見た場合の概略図、図５はリフォーム用ファンデーション１０を着用した状態で側面側（右側面側）から見た場合の概略図である。
また、図６及び図７は、本発明の実施形態に係るリフォーム用ファンデーション１０を開いた状態を示している。図６は、リフォーム用ファンデーションを開いた状態の表面側からみた場合の概略展開図であり、図７は、リフォーム用ファンデーションを開いた状態の裏面側からみた場合の概略展開図である。
そして、図８ないし図１０は、本発明の実施形態に係るリフォーム用ファンデーション１０を使用者Ｌが着用する際の着用方法を説明するための概略図となっている。
【００２５】
まず、図３ないし図５を用いて、本実施形態のリフォーム用ファンデーションの概略を説明する。
本実施形態のリフォーム用ファンデーション１０は、上述したように仙骨２を中心に左右に配置された一対の寛骨３，３を供える骨盤１全体を覆うことができる。
図３に示すように、使用者Ｌの正面側には、下腹部上方裏側パネル１４ａ、下腹部上方表側パネル１４ｂ、下腹部下方裏側パネル１５ａ、下腹部下方表側パネル１５ｂが、使用者Ｌの下腹部付近を圧迫するように配置されている。また、リフォーム用ファンデーション１０には、上述したように一対の恥骨６、６の互いの間隔を狭めるために、寛骨臼５より上側であって腸骨４より下側の間を狙って巻くことができるような骨盤締付部１６ａ、１６ｂが設けられている。この骨盤締付部１６ａ、１６ｂは、使用者Ｌの正面側にその一方の端部、骨盤締付固定端部３１ａ、３１ｂを有しており、この骨盤締付固定端部３１ａ、３１ｂは、下腹部下方表側パネル１５ｂに固定される。そして、後述するように、この骨盤締付部１６ａ、１６ｂは、使用者Ｌが装着した際に仙骨パネル１２を中心とすると、左側方向に設けられた骨盤締付部１６ａと右側方向に設けられた骨盤矯正部１６ｂとなっている。
そして、使用者Ｌの正面側に配置される前面下端部２９ａ、２９ｂ及び側面下端部２０ａ、２０ｂの一部は、使用者Ｌの足の付け根の動きを妨げないような位置に配置される。
つまり、側面部１３ａ、１３ｂの側面下端部２０ａ、２０ｂと下腹部下方裏側パネル１５ａ、下腹部下方表側パネル１５ｂの前面下端部２９ａ、２９ｂは、使用者Ｌの足の付け根部分を回避される形状とされている。
このため、装着した際に使用者Ｌの側面側を通り前面側の下腹部付近に至る側面下端部２０ａ、２０ｂ及び前面下端部２９ａ、２９ｂは、使用者Ｌの足の付け根部分を覆うことがないので、使用者Ｌが装着した際に、使用者Ｌの足の動きを妨げることない。
従って、使用者Ｌが装着して動いても、リフォーム用ファンデーション１０がずり上がってきてしまうことがなく、最初の装着位置を保つことができるので、最初に位置決めした際の骨盤の締め付け感を維持することができ、効果的に下腹部や骨盤を矯正することが可能となる。
【００２６】
また、図４で示すように、使用者Ｌの背面側には、仙骨パネル１２が配置されている。この仙骨パネル１２は、仮想中心ＣＬを中心とした領域であって、使用者Ｌのウエストよりやや下方部分からヒップの下側付近までを覆うように配置されている。
そして、この仙骨パネル１２は、伸縮性の低減されたクッション性の良い材料で形成されている。このため、使用者Ｌが装着する際に、この仙骨パネル１２を起点として、締め付けることができるようになっている。
しかも、この仙骨パネル１２は、伸縮性の低減された材料で形成されているので、装着の際にヒップの丸みを潰さずに締め付けることができる。また、仙骨パネル１２は、クッション性もあるので、ヒップへのフィット感にも優れた付け心地を使用者Ｌに与え、仙骨２の保温もできるようにもなっている。
また、後述するように、仙骨パネル１２の形状が使用者Ｌのヒップの形状に沿う様に形成されているので、使用者Ｌが装着する際に、付け位置に迷うことが無く、正しい位置で装着することができるようになっている。
また、仙骨パネル１２の側方である左右方向の仙骨パネル側方端部１７ａ、１７ｂの位置では、骨盤締付部１６ａ、１６ｂのもう一方の端部と連結されている。従がって、骨盤を締め付ける際にもこの仙骨パネル１２が起点となり、骨盤締付部１６ａ、１６ｂは、しっかりと骨盤を締め付けることができる。
【００２７】
そして、図５で示すように、側面下端部２０ｂ（２０ａ）は、使用者Ｌの背面側から正面側に向かってやや斜め上方に向くように配置されている。ここで、図５は、使用者Ｌがリフォーム用ファンデーション１０を装着した際の右側側面からの概略図を示しているが、左側側面から見た場合にも同様に側面下端部２０ａは、使用者Ｌの背面側から正面側に向かってやや斜め上方に向くように配置されているようになっている。
つまり、上述したように、使用者Ｌの背面側の仙骨パネル１２が、ヒップの下側まで配置されており、使用者Ｌの正面側の前面下端部２９ａ、２９ｂ及び側面下端部２０ａ、２０ｂの一部は、使用者Ｌの足の付け根の動きを妨げないような位置に配置されるようになっている。
リフォーム用ファンデーション１０は、このように装着できるので、使用者Ｌの動作にしたがってずり上がってきてしまうことがなく、使用者Ｌの動きに対応できるようになっている。
また、ヒップの形状に沿って装着できるので、使用者Ｌが、衣服の下にこのリフォーム用ファンデーション１０を装着していても、違和感もない。
【００２８】
次に、図６及び図７を用いて、本実施形態のリフォーム用ファンデーション１０の各部の構成について説明する。
図６及び図７より、リフォーム用ファンデーション１０の本体部は、仙骨パネル１２を中心として、左右に側面部１３ａ、１３ｂを有し、その側面部１３ａ、１３ｂと連結される下腹部上方裏側パネル１４ａ、下腹部上方表側パネル１４ｂ及び下腹部下方裏側パネル１５ａ、下腹部下方表側パネル１５ｂをそれぞれ有し、全体として帯状となっている。つまり、リフォーム用ファンデーション１０の本体部は、下腹部上方裏側パネル１４ａと腹部下方裏側パネル１５ａと連結されている側面部１３ａと、下腹部上方表側パネル１４ｂと下腹部下方表側パネル１５ｂと連結されている側面部１３ｂとが仙骨パネル１２を介して帯状となっている。
リフォーム用ファンデーション１０の本体部は、図６の仮想中心ＣＬに左方向に側面部１３ａ、下腹部上方裏側パネル１４ａ及び下腹部下方裏側パネル１５ａを有し、右方向に側面部１３ｂ、下腹部上方表側パネル１４ｂ及び下腹部下方表側パネル１５ｂを有している。ここで、本実施形態においては、図６の仮想中心ＣＬに左方向に下腹部上方裏側パネル１４ａ及び下腹部下方裏側パネル１５ａを有し、右方向に下腹部上方表側パネル１４ｂ及び下腹部下方表側パネル１５ｂを有する構成として説明しているが、左方向に下腹部上方表側パネル１４ｂ及び下腹部下方表側パネル１５ｂを有し、右方向に下腹部上方裏側パネル１４ａ及び下腹部下方裏側パネル１５ａを有するようにすることもできる。その場合いは、後述する装着の際には、使用者Ｌの下腹部付近でそれぞれのパネルの重なりは、左右が逆となる。
【００２９】
また、仙骨パネル１２は、使用者Ｌのウエストよりやや下側に配置される仙骨パネル上端部２３と、ヒップの下側に配置される仙骨パネル下端部２４を有しており、仙骨パネル上端部２３は、仙骨パネル下端部２４より長くなるように形成されている。つまり、図面上で、仙骨パネル上端部２３の長さＸ１と仙骨パネル下端部２４の長さＸ２を比較すると、Ｘ１はＸ２の約２倍程度とされている。これにより、仙骨パネル１２を使用者Ｌの背面側に配置した際に、仙骨２部分を覆うことができるようになる。
そして、仙骨パネル１２の外形は、ウエストよりやや下方部分に配置される仙骨パネル上端部２３は長く、ヒップの下側に配置される部分の仙骨パネル下端部２４は狭く形成されている。また、仙骨パネル上端部２３及び仙骨パネル下端部２４は、仙骨パネル１２と同様に、伸縮性の低減された部材で構成されている。
そのため、装着の際に、使用者Ｌのウエストよりやや下方部分、つまり、腰部近傍に配置される仙骨パネル上端部２３は、しっかりと使用者Ｌ側に押さえつけて、密着させることができる。一方、ヒップの下側に配置される仙骨パネル下端部２４は、ヒップの丸みを潰させずに配置させることができる。
【００３０】
また、仙骨パネル１２の仙骨パネル側方端部１７ａ、１７ｂは、リフォーム用ファンデーション１０の幅方向、つまり、仙骨パネル上端部２３と仙骨パネル下端部２４の間、に配置されており、仙骨パネル上端部２３と仙骨パネル下端部２４とそれぞれ繋ぐように配置されている。そのため、仙骨パネル１２は、仙骨パネル上端部２３と仙骨パネル下端部２４及び仙骨パネル側方端部１７ａ、１７ｂで囲まれる部分に形成されており、その外形形状は、仙骨パネル上端部２３が広く、仙骨パネル下端部２４が狭い、概略逆台形形状のようになっている。
この仙骨パネル１２は、上述したように伸縮性の低減されたクッション性の良い材料を使用して構成されている。そして、例えば、このクッション性の良い材料として、通気性の良いように穴の開いたメッシュ面と凹凸の少ないフラット面の二枚の素材を重ねて、その二枚の素材の間隙を繊維状のもので繋ぎ編み目構造やハニカム構造等を持たせたような中空構造のニットを用いることができる。また、例えば、発泡ウレタン等を二枚の布地で挟んで構成されたクッション材等でもよい。
そして、例えば、この仙骨パネル１２は、使用者Ｌに配置される側、つまり図７の裏側は、上述したクッション材のメッシュ面側が配置され、表側、つまり図６の表側は、このクッション材のフラット面側には、着用した使用者Ｌの衣服側から目立たないように、比較的弾性がなく凹凸の少ないフラット面となるような生地を配置さている。または、例えば、この仙骨パネル１２は、メッシュ面とフラット面の間に、クッション材を配置して３層構造とすることもできる。
【００３１】
そして、仙骨パネル１２の仙骨パネル側方端部１７ａ、１７ｂで側面部１３ａ、１３ｂと連結されている。この側面部１３ａ、１３ｂは、装着の際に、使用者Ｌの左右のヒップから側面にかけて配置されるようになっており、伸縮性の良い材料で構成されている。
そして、ここでは、側面部１３ａ、１３ｂは、後述する骨盤締付部１６ａ、１６ｂをその内部で進退可能に収容できるように、二重構造、つまり袋状とされている。
側面部１３ａ、１３ｂは、仙骨パネル１２の左右方向に伸びるように、リフォーム用ファンデーション１０の長手方向に配置されている。側面部１３ａ、１３ｂの伸縮方向は、リフォーム用ファンデーション１０の長手方向に沿うようになっている。
このため、仙骨パネル１２を中心として、側面部１３ａ、１３ｂを伸ばしつつ装着すると、側面部１３ａ、１３ｂは、使用者Ｌに巻きつける方向に伸縮して、骨盤１全体を覆いつつ締付けることができる。
【００３２】
また、側面部１３ａ、１３ｂの側面下端部２０ａ、２０ｂは、側面上端部２１ａ、２１ｂと比較して、長くなっている。
また、側面下端部２０ａ、２０ｂ、仙骨パネル下端部２４を繋ぐラインは、側面上端部２１ａ、２１ｂ、仙骨パネル上端部２３を繋ぐラインと比較すると長くなっている。
そして、側面下端部２０ａ、２０ｂ、仙骨パネル下端部２４を繋ぐラインの形状と、側面上端部２１ａ、２１ｂ、仙骨パネル上端部２３を繋ぐラインの形状は、共に、丸いラインを描くように形成されており、特に、側面下端部２０ａ、２０ｂ、仙骨パネル下端部２４を繋ぐラインの形状は、その丸みの大きいライン形状となっている。つまり、仙骨パネル１２の上下幅方向の大きさが、側面部１３ａ，１３ｂの側面前面連結部２８ａ，２８ｂ上下幅方向の大きさより、相対的に大きくされている。
このため、単に直線形状の帯状となっているよりも、装着した際により、使用者Ｌの形状に沿うようになる。
このため、使用者Ｌが装着した際に、使用者Ｌのヒップ形状を仙骨パネル１２とこの仙骨パネル１２と連接している側面部１３ａ，１３ｂとでヒップ形状の丸みをつぶさずに、すっぽりと覆うことができるようになっている。
つまり、リフォーム用ファンデーション１０を巻きつける位置が、骨盤１を覆うことができる位置であり、側面上端部２１ａ、２１ｂ、仙骨パネル上端部２３を繋ぐラインは、ウエストのやや下方に配置され、側面下端部２０ａ、２０ｂ、仙骨パネル下端部２４を繋ぐラインは、ヒップの下側に沿うように配置されている。そして、それぞれのライン形状は、それぞれの配置される使用者Ｌの形状に沿うことができるように形成されている。
これにより、装着した際のフィット感が向上し、また、使用者Ｌの動きに対し、ずれずにフィット感が継続する。
【００３３】
また、側面部１３ａ、１３ｂは、下腹部上方裏側パネル１４ａ、下腹部上方表側パネル１４ｂ、下腹部下方裏側パネル１５ａ、下腹部下方表側パネル１５ｂと側面前面連結部２８ａ、２８ｂを介して連結されている。この側面前面連結部２８ａ、２８ｂは、比較的伸縮性のない材料で構成されており、例えば、綿テープなどである。
そして、この側面部１３ａ、１３ｂは、二重構造、つまり袋状とされており、この側面前面連結部２８ａ、２８ｂには、骨盤締付部１６ａ、１６ｂの一方の端部である骨盤締付固定端部３１ａ、３１ｂが露出される開口部２７ａ、２７ｂが形成されている。この開口部２７ａ、２７ｂは、帯状のリフォーム用ファンデーション１０の幅方向の下側よりに形成されている。つまり、開口部２７ａ、２７ｂは、下腹部下方裏側パネル１５ａ、下腹部下方表側パネル１５ｂと連結する部分よりに形成されている。
このため、骨盤周りの矯正する際に、骨盤締付部１６ａ、１６ｂは、締め付けたい位置である、骨盤矯正に一番効果の良い、寛骨臼５より上側であって腸骨４より下側の間を確実に狙って締め付けることができる。つまり、この開口部２７ａ、２７ｂは、骨盤締付部１６ａ、１６ｂのガイドともなっている。
【００３４】
また、この骨盤締付部１６ａ、１６ｂのもう一方の端部は、仙骨パネル１２の仙骨パネル側方端部１７ａ、１７ｂと連結されており、側面部１３ａ、１３ｂの袋状の内部に収容されている。
そして、仙骨パネル側方端部１７ａ、１７ｂと連結されている骨盤締付部１６ａ、１６ｂのもう一方の端部の上下の幅（Ｚ１）は、開口部２７ａ、２７ｂから露出しているもう一方の端部の上下の幅と比較すると、幅広になっている。これにより、骨盤締付部１６ａ、１６ｂで締付つける際に、仙骨パネル１２を人体Ｌ側に押さえつけつつ、より大きい力で骨盤１を締付つけることができるようになっている。
【００３５】
また、開口部２７ａ、２７ｂの開口の大きさ（Ｚ２）と、この開口部２７ａ、２７ｂから露出している骨盤締付固定端部３１ａ、３１ｂの上下の幅は、若干、骨盤締付固定端部３１ａ、３１ｂ側の上下の幅が小さくされている。そのため、骨盤締付部１６ａ、１６ｂは、開口部２７ａ、２７ｂから容易引き出すことができる。つまり、側面部１３ａ，１３ｂの袋状の内部で、骨盤締付部１６ａ、１６ｂは容易に進退可能となっている。
そして、開口部２７ａ、２７ｂから、骨盤締付部１６ａ，１６ｂを引っ張ると、骨盤締付部１６ａ，１６ｂが徐々に幅広となり、途中で開口部２７ａ、２７ｂの幅より大きくされている。このため、必要以上に骨盤構成部１６ａ、１６ｂが引っ張りだされてしまうことがない。
骨盤締付部１６ａ、１６ｂは、進退方向に伸縮性のある材料となっている。つまり、骨盤締付部１６ａ，１６ｂの上下の幅方向と交わる方向に強い伸縮性を有する材料が使用されている。この伸縮性の方向が、骨盤締付部１６ａ、１６ｂの進退方向と一致しているので、これにより、骨盤締付部１６ａ、１６ｂで使用者Ｌの骨盤１を締付つける際に、弾性的に圧迫することが可能となる。骨盤締付部１６ａ、１６ｂは、例えば、硬質のパワーネットや、パワーネットを２重に重ねて使用すれば、骨盤１を締め付ける際の力を大きくすることができる。
【００３６】
次に、側面部１３ａ、１３ｂと側面前面連結部２８ａ、２８ｂで連結されている下腹部上方裏側パネル１４ａ、下腹部上方表側パネル１４ｂ、下腹部下方裏側パネル１５ａ、下腹部下方表側パネル１５ｂは、それぞれ、下腹部上方裏側パネル１４ａと下腹部上方表側パネル１４ｂが、重ねられ、また、下腹部下方裏側パネル１５ａと下腹部下方表側パネル１５ｂとが、重ねられ、使用者Ｌの正面側に配置されて、下腹部を圧迫するようになっている。
つまり、下腹部上方裏側パネル１４ａ、下腹部上方表側パネル１４ｂ、下腹部下方裏側パネル１５ａ、下腹部下方表側パネル１５ｂは、それぞれ、伸縮性の低減された材料で形成されている。例えば、下腹部上方裏側パネル１４ａ及び下腹部下方裏側パネル１５ａは、表地はフレンチパイル、裏地に硬質のパワーネット、下腹部上方表側パネル１４ｂはテグスコール、下腹部下方表側パネル１５ｂはポリウレタン等からなるストレッチ性の良い素材が使用でき、後述するように、その全面が面ファスナー２６となっている。
そして、下腹部下方裏側パネル１５ａと下腹部下方表側パネル１５ｂとは、下腹部上方裏側パネル１４ａと下腹部上方表側パネル１４ｂより、幅広になるように構成されている。つまり、下腹部下方裏側パネル１５ａと下腹部下方表側パネル１５ｂの上下幅方向をＹ１、下腹部上方裏側パネル１４ａと下腹部上方表側パネル１４ｂの上下幅方向をＹ２とすると、Ｙ２＞Ｙ１となるように構成されている。このため、このリフォーム用ファンデーション１０を装着すると、下腹部の下方が、より強い力で圧迫できる。
また、このように、二段になっているので、巻きつける際に、位置決めが容易であるのと、巻きつけ強さの調整が容易に行える。
【００３７】
また、下腹部上方裏側パネル１４ａと下腹部下方裏側パネル１５ａは、その表側（図６で示している側）、つまり、装着した際に、それぞれ下腹部上方表側パネル１４ｂと対面する側には面ファスナー１８ａが、下腹部下方表側パネル１５ｂと対面する側には面ファスナー１９ａが配置されている。下腹部上方裏側パネル１４ａの表側の面ファスナー１８ａと下腹部下方裏側パネル１５ａの表側の面ファスナー１９ａは、それぞれ下腹部上方裏側パネル１４ａと下腹部下方裏側パネル１５ａの長手方向のどの部分でも、下腹部上方表側パネル１４ｂまたは下腹部下方表側パネル１５ｂの端部側にそれぞれ配置されている面テープ１８ｂ、１９ｂを固定することができるようになっている。
すなわち、面ファスナー１８ａ、１９ａは、腹部上方裏側パネル１４ａと下腹部下方裏側パネル１５ａの表側の全面に設けられており、使用者Ｌの骨盤周りの大きさに合わせて長さ調整ができるようになっている。
【００３８】
また、下腹部下方表側パネル１５ｂの表面、つまり、リフォーム用ファンデーション１０を装着すると、使用者Ｌの正面側であり、前面に配置される側は、面ファスナー２６となっている。
従がって、下腹部下方表側パネル１５ｂの表面の全面は、面ファスナー２６となっているので、骨盤締付部１６ａ、１６ｂの骨盤締付固定端部３１ａ、３１ｂの付近に設けられた面ファスナー２５ａ、２５ｂが任意の位置で固定できるようになっている。そして、下腹部下方表側パネル１５ｂの表面の全面が、面ファスナー２６となっているので、骨盤締付部１６ａ、１６ｂの巻き付け強さの調整が行えるようになっている。また、面ファスナー２６は、下腹部下方表側パネル１５ｂの表面の全面に重ねるように設けられてもよい。そして、面ファスナー２６は、若干伸縮性のある面ファスナー素材であることが、使用者Ｌが装着した際のフィット感が向上するので、好ましい。
【００３９】
本実施形態のリフォーム用ファンデーション１０の各部は、上述のように構成されている。
そして、図６及び図７より、その全体は、弓状になっており、使用者Ｌの体形に容易に沿うことができるようになっている。
【００４０】
次に、図８ないし図１０を用いて、本実施形態のリフォーム用ファンデーションの装着の方法の一例を説明する。
使用者Ｌは、まず、図６及び図７のような状態のリフォーム用ファンデーション１０の両端部の下腹部上方裏側パネル１４ａ（または、下腹部下方裏側パネル１５ａ）及び下腹部上方表側パネル１４ｂ（または、下腹部下方表側パネル１５ｂ）をそれぞれ掴み、仙骨パネル１２を使用者Ｌのヒップ部分に当てる。
つまり、下腹部上方裏側パネル１４ａ（または、下腹部下方裏側パネル１５ａ）を左手で掴み、下腹部上方表側パネル１４ｂ（または、下腹部下方表側パネル１５ｂ）を右手で掴み、仙骨パネル１２の裏面側（図７の側）を使用者Ｌのヒップ部分と接するように当てる。
そして、例えば、下腹部下方裏側パネル１５ａと下腹部下方表側パネル１５ｂを使用者Ｌの正面側の下腹部で重ね合わせる。その際、仙骨パネル１２が使用者のヒップ部分と密着するように、下腹部下方裏側パネル１５ａと下腹部下方表側パネル１５ｂを引っ張りつつ、下腹部下方表側パネル１５ｂの面ファスナー１９ｂを下腹部下方裏側パネル１５ａの面ファスナー１９ａと係合させて固定する（図８参照）。
この下腹部下方裏側パネル１５ａと下腹部下方表側パネル１５ｂとは、互いに伸縮性の低減された材料であり、下腹部下方裏側パネル１５ａと下腹部下方表側パネル１５ｂとを引っ張ると、伸縮性の高い側面部１３ａ、１３ｂがそれぞれ伸張される。そして、下腹部下方表側パネル１５ｂの面ファスナー１９ｂを下腹部下方裏側パネル１５ａの面ファスナー１９ａに重ねて係合させると、側面部１３ａ、１３ｂが収縮し、下腹部下方表側パネル１５ｂと下腹部下方裏側パネル１５ａとで使用者Ｌの下腹部が圧迫される。
【００４１】
そして、使用者Ｌは、下腹部上方裏側パネル１４ａを左手で掴み、下腹部上方表側パネル１４ｂを右手で掴み、使用者Ｌの下腹部を締め付けるように、下腹部上方裏側パネル１４と下腹部上方表側パネル１４ｂとを重ねる。そして、下腹部上方表側パネル１４ｂの面ファスナー１８ｂを下腹部上方裏側パネル１４ａの表側の面ファスナー１８ａ上に係合させて固定する（図９参照）。
この時、最初に固定した下腹部下方裏側パネル１５ａと下腹部下方表側パネル１５ｂとが、下腹部上方裏側パネル１４ａと下腹部上方表側パネル１４ｂとを固定したことにより、使用者Ｌが緩いと感じた場合には、再度、下腹部下方裏側パネル１５ａと下腹部下方表側パネル１５ｂとの固定をやり直すことができる。
このように、下腹部部分を圧迫することができる正面側のパネルが、下腹部上方裏側パネル１４ａと下腹部上方表側パネル１４ｂ、下腹部下方裏側パネル１５ａと下腹部下方表側パネル１５ｂのように上下二段に別れて設けられているので、使用者Ｌの下腹部の圧迫の調整が容易に行える。
また、下腹部を押える面積や力は、一枚のパネルとした場合と同様であるが、着用に際しては、このようにニ段に分かれているので、着用が容易である。
そして、仙骨パネル１２が形成されているので、着用の際の位置決めが容易であり、使用者Ｌは、着用位置を誤って装着することがない。
このように、リフォーム用ファンデーション１０の本体部（帯状）が装着されると、使用者Ｌの骨盤全体が覆われて下腹部が圧迫される。
【００４２】
次に、使用者Ｌは、開口部２７ａ，２７ｂから露出されている骨盤締付部１６ａ、１６ｂの端部である骨盤締付固定端部３１ａ、３１ｂを引っ張り、骨盤締付部１６ａ、１６ｂを更に開口部２７ａ、２７ｂから露出させる。
そして、使用者Ｌは、骨盤締付固定端部３１ａ、３１ｂに備わる面ファスナー２５ａ，２５ｂを、下腹部下方表側パネル１５ｂの表面側の面ファスナー２６に係合させて、固定する。
すると、骨盤締付部１６ａ，１６ｂは、骨盤を矯正するに際し、一番効果のある部位を弾性的に圧迫するように装着できる。
本実施形態の場合、この着脱可能にする手段として、面ファスナーを例に挙げて説明しているがその他の係脱自在な係合手段が用いられていてもよい。
【００４３】
ここで、本実施形態の仙骨パネル１２は、仙骨部材の一例であり、左右の側面部１３ａ，１３ｂは、左右の側面部材の一例である。また、下腹部上方裏側パネル１４ａと下腹部上方表側パネル１４ｂ及び下腹部下方裏側パネル１５ａと下腹部下方表側パネル１５ｂは、下腹部材の一例であり、下腹部上方裏側パネル１４ａと下腹部上方表側パネル１４ｂは上側下腹部材、下腹部下方裏側パネル１５ａと下腹部下方表側パネル１５ｂは下側下腹部材の一例である。そして、本体部は、本体部材の一例となっており、仙骨パネル１２、左右の側面部１３ａ，１３ｂ、下腹部上方裏側パネル１４ａと下腹部上方表側パネル１４ｂ及び下腹部下方裏側パネル１５ａと下腹部下方表側パネル１５ｂを有しており、帯状体となっている。
そして、骨盤締付部１６ａ、１６ｂは骨盤矯正部材の一例であり、骨盤締付固定端部３１ａ、３１ｂは、固定端部の一例である。
そして、下腹部下方表側パネル１５ｂの表側面の面ファスナー２６は、取り付け部の一例となっており、骨盤締付固定端部３１ａ、３１ｂが着脱自在に配置され固定されるようになっている。
そして、側面部１３ａ、１３ｂは、袋状となっており、袋状部の一例となっており、開口部２７ａ，２７ｂを有している。この開口部２７ａ，２７ｂは、骨盤締付固定端部３１ａ、３１ｂの上下の幅方向と対応する幅となるように形成されている。
【００４４】
本実施形態のリフォーム用ファンデーション１０は、以上のように構成されているので、使用者Ｌが装着する際に、ヒップの丸み形状に沿うようにヒップの中央領域の仙骨周辺に装着される仙骨パネル１２（仙骨部材の一例）を目安に装着の位置決めを容易に行うことができる。つまり、仙骨パネル１２（仙骨部材の一例）は、ヒップの丸み形状に沿うようにヒップの中央領域の仙骨周辺に装着でき、リフォーム用ファンデーション１０の本体部材を定位置に装着するためのガイドとして機能するようになっている。
そして、仙骨パネル１２（仙骨部材）により容易に位置決めができ、下腹部上方裏側パネル１４ａと下腹部上方表側パネル１４ｂ及び下腹部下方裏側パネル１５ａと下腹部下方表側パネル１５ｂ（下腹部材の一例）は、下腹部を効率よく圧迫することができる。
【００４５】
また、骨盤締付部１６ａ，１６ｂ（骨盤矯正部材の一例）は、下腹部下方表側パネル１５ｂ（下腹部材の一例）の表面側に着脱自在に配置される骨盤締付固定端部３１ａ，３１ｂ（固定端部の一例）を有しており、仙骨パネル１２（仙骨部材の一例）から左右方向に伸びて、使用者Ｌの骨盤周りが弾性的に圧迫できるようになっている。
このため、リフォーム用ファンデーション１０の本体が定位置に装着され、骨盤締付部１６ａ，１６ｂ（骨盤矯正部材の一例）も定位置に装着することが容易となる。このため、骨盤締付部１６ａ，１６ｂ（骨盤矯正部材の一例）による骨盤周りの圧迫をより正確に行うことができるようになっている。
したがって、使用者Ｌが適正な位置でリフォーム用ファンデーション１０を装着することができ、使用者Ｌは、装着位置等に誤ることが無く、定位置に装着することができ、下腹部および骨盤等の位置を確実に効率よく矯正することができる。
【００４６】
しかも、使用者Ｌが装着する際に、使用者Ｌは、クッション性のある伸縮の低減された仙骨パネル１２（仙骨部材の一例）を使用者Ｌの仙骨周辺に当てる。そして、仙骨パネル１２を中心として、伸縮性のある左右の側面部を引っ張りつつ骨盤周辺を覆い、使用者Ｌの前面に装着される伸縮性の低減された下腹部上方裏側パネル１４ａと下腹部上方表側パネル１４ｂ及び下腹部下方裏側パネル１５ａと下腹部下方表側パネル１５ｂ（下腹部材の一例）の一方の端部に他方の端部を重ねるようにして装着する。
このように装着された本体部の下腹部材は、伸縮性のある側面部１３ａ，１３ｂにより仙骨パネル１２の方向に引っ張られ、使用者の下腹部面を圧迫することができる。
また、仙骨パネル１２は、伸縮性の低減されたクッション性を有しているので、使用者が装着した際には、ヒップの丸みを潰してしまうことがなく、装着感を高めることができる。
つまり、仙骨パネル１２は、伸縮性が低減されているので、側面部１３ａ．１３ｂを引っ張りつつ本体部を装着しても、仙骨パネル１２の伸縮によりヒップを潰してしまうことが無いが、クッション性を有しているので、程よく仙骨周辺にフィットさせることができる。
従がって、下腹部や骨盤周りは矯正されつつ、外見上、違和感が無く装着することができる。
【００４７】
下腹部下方裏側パネル１５ａと下腹部下方表側パネル１５ｂが、下腹部上方裏側パネル１４ａと下腹部上方表側パネル１４ｂの上下方向の幅より幅広に形成されているので、下腹部の下側を上側より強い力で圧迫することができる。
そして、この下腹部下方表側パネル１５ｂの表面側は、骨盤締付部１６ａ、１６ｂの固骨盤締付固定端部３１ａ，３１ｂが脱自在に配置されるように面ファスナー２６を有している。
このため、使用者Ｌは、下腹部を矯正した後にこの骨盤締付部１６ａ，１６ｂにより容易に骨盤周りを矯正することが可能となる。
従がって、本体部で、下腹部及び骨盤周辺全体を締め付けた後に、骨盤周りの矯正を行うことができるので、より確実に矯正することができるようになっている。
【００４８】
また、骨盤締付部１６ａ，１６ｂが、本体部の側面部１３ａ，１３ｂの袋状の内部で進退可能となっており、開口部２７ａ，２７ｂから骨盤締付固定端部３１ａ，３１ｂが露出されているので、本体部が使用者Ｌに装着されて下腹部を圧迫した後に、この骨盤締付部１６ａ，１６ｂで、更に、骨盤周辺を狙って締め付けをすることが容易にできるようになっている。
そして、側面部１３ａ、１３ｂが袋状とされ、開口部２７ａ，２７ｂの幅が骨盤締付固定端部３１ａ，３１ｂの幅と対応するようになっており、骨盤締付部１６ａ，１６ｂの仙骨パネル１２が骨盤締付固定端部３１ａ，３１ｂより幅広に形成されている。
このため、開口部２７ａ，２７ｂは、この開口部２７ａ，２７ｂから骨盤締付部１６ａ，１６ｂの骨盤締付固定端部３１ａ，３１ｂを引っ張りだして骨盤周辺を締め付ける際の骨盤締付部１６ａ，１６ｂの位置決め部ともなっている。
【００４９】
本発明は、上記実施形態に限定されず、特許請求の範囲を逸脱しない範囲で種々の変更を行うことができる。例えば、本実施形態では全体に布地を使用しているが、背中側等の当接する部分によっては成形体を配置しても良い。また、本実施形態では全体を通気性を有する材料で形成することで長時間における使用感を高めているが、通気性のない材料を使用しても良く、さらには仙骨パネル等に保温機能を有する材料を使用したり、ポケット等を設けて仙骨パネルのクッション材を取り外しが可能となるように構成したり、保温できるよう構成しても良い。また、上記実施形態の各構成は、その一部を省略し、あるいは上記とは異なるように任意に組み合わせることができる。
【図面の簡単な説明】
【００５０】
【図１】妊婦の骨盤周辺の正面図であり、皮膚や筋肉などの組織を透視した図である。
【図２】図１のＡ−Ａ線の部分で人体を切断した場合の概略断面図である。
【図３】本発明の実施形態に係るリフォーム用ファンデーションを着用した状態の人体の正面側から見た場合の概略図である。
【図４】本発明の実施形態に係るリフォーム用ファンデーションを着用した巻いた状態で人体の背面側から見た場合の概略図である。
【図５】本発明の実施形態に係るリフォーム用ファンデーションを着用した状態で人体の側面側から見た場合の概略図である。
【図６】本発明のリフォーム用ファンデーションを開いた状態の表面側からみた場合の概略展開図である。
【図７】本発明のリフォーム用ファンデーションを開いた状態の裏面側からみた場合の概略展開図である。
【図８】本発明のリフォーム用ファンデーションの着用方法を説明するための概略図である。
【図９】本発明のリフォーム用ファンデーションの着用方法を説明するための概略図である。
【図１０】本発明のリフォーム用ファンデーションの着用方法を説明するための概略図である。
【符号の説明】
【００５１】
１０・・・リフォーム用ファンデーション、１２・・・仙骨パネル、１３ａ、１３ｂ・・・側面部、１４ａ・・・下腹部上方裏側パネル、１４ｂ・・・下腹部上方表側パネル、１５ａ・・・下腹部下方裏側パネル、１５ｂ・・・下腹部下方表側パネル、１６ａ、１６ｂ・・・骨盤締付部、１７ａ、１７ｂ・・・仙骨パネル側方端部、１８ａ、１８ｂ・・・面ファスナー、１９ａ、１９ｂ・・・面ファスナー、２０ａ、２０ｂ・・・側面下端部、２１ａ、２１ｂ・・・側面上端部、２３・・・仙骨パネル上端部、２４・・・仙骨パネル下端部、２５ａ，２５ｂ・・・面ファスナー、２６・・・面ファスナー、２７ａ、２７ｂ・・・開口部、２８ａ、２８ｂ・・・側面前面連結部、２９ａ、２９ｂ・・・前面下端部、３０ａ、３０ｂ・・・前面上端部、３１ａ，３１ｂ・・・骨盤締付固定端部
【図１】
0005129600.tif 000002
【図２】
0005129600.tif 000003
【図３】
0005129600.tif 000004
【図４】
0005129600.tif 000005
【図５】
0005129600.tif 000006
【図６】
0005129600.tif 000007
【図７】
0005129600.tif 000008
【図８】
0005129600.tif 000009
【図９】
0005129600.tif 000010
【図１０】
0005129600.tif 000011